(57)【特許請求の範囲】
【請求項１】
上歯が収まることができる上側マウスピース部材と、
下歯が収まることができる下側マウスピース部材と、
前記上側マウスピース部材と前記下側マウスピース部材とを連結しながら、前記上側マウスピース部材と前記下側マウスピース部材とに弾性を印加する少なくとも一つの弾性部材と、
前記上側マウスピース部材と前記下側マウスピース部材との近接及び離隔回数を検知することができる運動回数検知部材とを含み、
前記運動回数検知部材は、
前記上側マウスピース部材及び前記下側マウスピース部材のいずれか一方に設置される磁石と、前記上側マウスピース部材と前記下側マウスピース部材のいずれか他方に設置され、前記磁石の近接及び離隔による磁力変化を検知することができるホールセンサーとを含んでなることを特徴とする、咀嚼筋運動器具。
【請求項２】
前記弾性部材は、バネの形をし、前記上側マウスピース部材が固定される上側固定部と、前記下側マウスピース部材が固定される下側固定部と、前記上側固定部と前記下側固定部とを連結しながら弾性を印加する弾性連結部とを含むことを特徴とする、請求項１に記載の咀嚼筋運動器具。
【請求項３】
前記弾性部材は、バネの形をし、前記上側マウスピース部材に結合される上側固定部と、前記下側マウスピース部材に結合される下側固定部と、前記上側固定部と前記下側固定部とを連結しながら弾性を印加する弾性連結部とを含み、
前記上側マウスピース部材には、前記上側固定部が挿入できる上側固定挿入ホールが形成され、
前記下側マウスピース部材には、前記下側固定部が挿入できる下側固定挿入ホールが形成されることを特徴とする、請求項１に記載の咀嚼筋運動器具。
【請求項４】
前記上側固定挿入ホールと前記下側固定挿入ホールは、前記上側マウスピース部材と前記下側マウスピース部材の各前側部と各後側部にそれぞれ形成されることにより、
前記弾性部材が前記上側マウスピース部材の前側部と前記下側マウスピース部材の前側部とを連結しなければならない場合、前記上側固定部と前記下側固定部が、それぞれ前記上側マウスピース部材と前記下側マウスピース部材の各前側部に形成された前記上側固定挿入ホールと前記下側固定挿入ホールにそれぞれ結合され、
前記弾性部材が前記上側マウスピース部材の後側部と前記下側マウスピース部材の後側部とを連結しなければならない場合、前記上側固定部と前記下側固定部が、それぞれ前記上側マウスピース部材と前記下側マウスピース部材の各後側部に形成された前記上側固定挿入ホールと前記下側固定挿入ホールにそれぞれ結合されることを特徴とする、請求項３に記載の咀嚼筋運動器具。
【請求項５】
前記弾性部材は前記上側マウスピース部材と前記下側マウスピース部材の少なくとも一つに着脱可能に連結され、
前記上側マウスピース部材の下面と前記下側マウスピース部材の上面には弾性部材連結ホールがそれぞれ形成され、
前記弾性部材の上端と下端には前記弾性部材連結体がそれぞれ形成され、
前記各弾性部材連結体が前記各弾性部材連結ホールに着脱可能に結合されることにより、前記弾性部材が前記上側マウスピース部材と前記下側マウスピース部材にそれぞれ着脱可能に連結されることを特徴とする、請求項１に記載の咀嚼筋運動器具。
【請求項６】
前記咀嚼筋運動器具は、前記弾性部材の収縮及び弛緩時に前記上側マウスピース部材と前記下側マウスピース部材の昇降を案内する昇降案内部材を含んでなる、請求項１に記載の咀嚼筋運動器具。
【請求項７】
前記弾性部材は弾性のある物質からなり、
前記上側マウスピース部材の下面と前記下側マウスピース部材の上面にはそれぞれ上側突出体と下側突出体が一定の長さだけ突設され、
前記上側突出体と前記下側突出体の各末端同士の間に前記弾性部材が設置されることを特徴とする、請求項１に記載の咀嚼筋運動器具。
【発明の詳細な説明】
【技術分野】
【０００１】
本発明は、咀嚼筋運動器具に関する。
【背景技術】
【０００２】
咀嚼筋（ｍａｓｔｉｃａｔｏｒｙ  ｍｕｓｃｌｅ）は、深頭筋とも呼ばれ、食べ物を咀嚼することができるように強い収縮力を示す筋肉であって、筋肉の一方は頭骨、もう一方は下顎にそれぞれ付いて下顎を動かせる。合計４対があり、顔の筋肉とは異なり、各筋肉は筋膜に包み込まれて保護されている。
【０００３】
このような咀嚼筋は、顎関節矯正などのために別途の器具を用いて運動を行わなければならないが、このような咀嚼筋運動器具として提示できるものが、以下に提示された顎関節矯正装置である。
【０００４】
ところが、従来の咀嚼筋運動器具によれば、その咀嚼筋運動器具の使用者が能動的に運動をして咀嚼筋を鍛えることが容易ではなく、それによりこれに対する改善が求められている。
【先行技術文献】
【特許文献】
【０００５】
【特許文献１】韓国登録特許第１０−１４８５５５５号公報
【特許文献２】韓国登録特許第１０−１２１６０２９号公報
【発明の概要】
【発明が解決しようとする課題】
【０００６】
本発明は、使用者が能動的に運動をして咀嚼筋を鍛えることができる咀嚼筋運動器具を提供することを目的とする。
【課題を解決するための手段】
【０００７】
本発明のある観点によれば、上歯が収まることができる上側マウスピース部材；下歯が収まることができる下側マウスピース部材；及び前記上側マウスピース部材と前記下側マウスピース部材とを連結しながら、前記上側マウスピース部材と前記下側マウスピース部材に弾性を印加する少なくとも一つの弾性部材；を含んでなる、咀嚼筋運動器具を提供する。
【発明の効果】
【０００８】
本発明の咀嚼筋運動器具によれば、咀嚼筋運動器具が上側マウスピース部材、下側マウスピース部材及び弾性部材を含むことにより、使用者が能動的に運動をして咀嚼筋を鍛えることができるという効果がある。
【図面の簡単な説明】
【０００９】
【図１】本発明の第１実施形態に係る咀嚼筋運動器具の様子を斜め上から見下ろした図である。
【図２】本発明の第１実施形態に係る咀嚼筋運動器具が分解された様子を斜め上から見下ろした図である。
【図３】本発明の第２実施形態に係る咀嚼筋運動器具を側面から見た図である。
【図４】本発明の第３実施形態に係る咀嚼筋運動器具を側面から見た図である。
【図５】本発明の第４実施形態に係る咀嚼筋運動器具が分解された様子を斜め上から見下ろした図である。
【図６】本発明の第４実施形態に係る咀嚼筋運動器具が結合された様子を斜め上から見下ろした図である。
【図７】本発明の第５実施形態に係る咀嚼筋運動器具を側面から見た図である。
【図８】本発明の第６実施形態に係る咀嚼筋運動器具において弾性部材が後側部に連結された様子を側面から見た図である。
【図９】本発明の第６実施形態に係る咀嚼筋運動器具において弾性部材が前側部に連結された様子を側面から見た図である。
【図１０】本発明の第７実施形態に係る咀嚼筋運動器具において弾性部材が連結された様子を側面から見た図である。
【図１１】本発明の第７実施形態に係る咀嚼筋運動器具において弾性部材が分離された様子を側面から見た図である。
【図１２】本発明の第８実施形態に係る咀嚼筋運動器具において弾性部材が連結された様子を側面から見た図である。
【図１３】本発明の第９実施形態に係る咀嚼筋運動器具において弾性部材が連結された様子を側面から見た図である。
【図１４】本発明の第１０実施形態に係る咀嚼筋運動器具において弾性部材が連結された様子を側面から見た図である。
【発明を実施するための形態】
【００１０】
以下、添付図面を参照して本発明の実施例に係る咀嚼筋運動器具について説明する。
【００１１】
図１は本発明の第１実施形態に係る咀嚼筋運動器具の様子を斜め上から見下ろした図、図２は本発明の第１実施形態に係る咀嚼筋運動器具が分解された様子を斜め上から見下ろした図である。
【００１２】
図１及び図２を一緒に参照すると、本実施形態に係る咀嚼筋運動器具１００は、上側マウスピース部材１１０、下側マウスピース部材１２０及び弾性部材１３０を含む。
【００１３】
前記上側マウスピース部材１１０は、上歯が収まることができるもので、上歯の配列形態に符合するように「Ｕ」字状に形成され、その上端に沿って上歯が挿入されるように「Ｕ」字状に上側挿入溝１１１が凹設される。
【００１４】
前記下側マウスピース部材１２０は、下歯が収まることができるもので、下歯の配列形態に符合するように「Ｕ」字状に形成され、その下端に沿って下歯が挿入されるように「Ｕ」字状に下側挿入溝が凹設される。
【００１５】
前記弾性部材１３０は、前記上側マウスピース部材１１０と前記下側マウスピース部材１２０とを連結しながら、前記上側マウスピース部材１１０と前記下側マウスピース部材１２０に弾性を印加する。
【００１６】
本実施形態では、前記弾性部材１３０は、バネの形をし、前記上側マウスピース部材１１０と前記下側マウスピース部材１２０との間に、互いに離隔するように少なくとも一つが配置される。
【００１７】
例示的に、前記弾性部材１３０は、３つが設置されるが、前記上側マウスピース部材１１０と前記下側マウスピース部材１２０の各両側末端部、及び前記上側マウスピース部材１１０と前記下側マウスピース部材１２０の各中央部にそれぞれ設置される。
【００１８】
このように構成されると、使用者の上歯が前記上側マウスピース部材１１０に挿入され且つ下歯が前記下側マウスピース部材１２０に挿入されるように、使用者が前記咀嚼筋運動器具１００を口腔に装着した状態で、使用者が前記咀嚼筋運動器具１００を銜えると、前記弾性部材１３０が圧縮されながら弾性力を蓄積することになり、使用者が銜えた力を抜くと、前記弾性部材１３０に蓄積された弾性力によって前記咀嚼筋運動器具１００が元の形状に復元しながら、使用者の口腔も再び開かれることになる。このような運動を繰り返し行うことにより、使用者が能動的に運動をして咀嚼筋を鍛えることができる。
【００１９】
ここで、前記弾性部材１３０は複数個、例えば３つが設置されるものと提示されるが、これは例示的なものに過ぎない。前記弾性部材１３０は、前記上側マウスピース部材１１０と前記下側マウスピース部材１２０の両側末端部のいずれか一方、または前記上側マウスピース部材１１０と前記下側マウスピース部材１２０の各中央部などの位置に一つが設置されてもよい。
【００２０】
以下、図面を参照して、本発明の他の実施形態に係る咀嚼筋運動器具について説明する。このような説明を行うにあたり、前述した本発明の第１実施形態において既に記載された内容と重複する説明はここでは省略する。
【００２１】
図３は本発明の第２実施形態に係る咀嚼筋運動器具を側面から見た図である。
【００２２】
図３を参照すると、本実施形態では、咀嚼筋運動器具２００が、上側マウスピース部材２１０の後側部分と下側マウスピース部材２２０の後側部分とを回動自在に連結させるヒンジ形態の回動連結部材２４０を含み、弾性部材２３０は、前記回動連結部材２４０から離隔する位置である前記咀嚼筋運動器具２００の前側部で前記上側マウスピース部材２１０と前記下側マウスピース部材２２０とを連結させる。
【００２３】
このように構成されると、前記咀嚼筋運動器具２００を使用者が銜えた状態で咀嚼筋運動をするとき、後側部の前記回動連結部材２４０で回動が行われながら、前記咀嚼筋運動器具２００が窄んでから広がり、その過程で前記弾性部材２３０が弾性力を蓄積してから元の形状に復元する。
【００２４】
図４は本発明の第３実施形態に係る咀嚼筋運動器具を側面から見た図である。
【００２５】
図４を参照すると、本実施形態では、咀嚼筋運動器具３００が、上側マウスピース部材３１０の前側部分と下側マウスピース部材３２０の前側部分を回動自在に連結させるヒンジ形態の回動連結部材３４０を含み、弾性部材３３０は、前記回動連結部材３４０から離隔する位置である前記咀嚼筋運動器具３００の後側部において前記上側マウスピース部材３１０と前記下側マウスピース部材３２０とを連結させる。
【００２６】
このように構成されると、前記咀嚼筋運動器具３００を使用者が銜えた状態で咀嚼筋運動をするとき、前側部の前記回動連結部材３４０で回動が行われながら前記咀嚼筋運動器具３００が窄んでから広がり、その過程で前記弾性部材３３０が弾性力を蓄積してから元の形状に復元する。
【００２７】
図５は本発明の第４実施形態に係る咀嚼筋運動器具が分解された様子を斜め上から見下ろした図、図６は本発明の第４実施形態に係る咀嚼筋運動器具が結合された様子を斜め上からに見下ろした図である。
【００２８】
図５及び図６を一緒に参照すると、本実施形態では、弾性部材４３０が板バネの形をし、前記弾性部材４３０は、上側マウスピース部材４１０が固定される上側固定部４３１と、下側マウスピース部材４２０が固定される下側固定部４３２と、前記上側固定部４３１と前記下側固定部４３２とを連結しながら弾性を印加する弾性連結部４３３とを含む。
【００２９】
前記上側固定部４３１と前記下側固定部４３２はそれぞれ前記上側マウスピース部材４１０と前記下側マウスピース部材４２０の形状に対応する「Ｕ」字状に形成され、前記上側固定部４３１の上面には前記上側マウスピース部材４１０がのせられて結合され、前記下側固定部４３２の下面には前記下側マウスピース部材４２０が接して結合され、前記上側固定部４３１と前記下側固定部４３２の各末端は湾曲した形状の前記弾性連結部４３３によって連結されている。前記上側固定部４３１、前記下側固定部４３２及び前記弾性連結部４３３は、楕円形の板状リングを一体に成形した後、互いに対向するように半折りにして形成できる。
【００３０】
図７は本発明の第５実施形態に係る咀嚼筋運動器具を側面から見た図である。
【００３１】
図７を参照すると、本実施形態では、咀嚼筋運動器具５００が、上側マウスピース部材５１０と下側マウスピース部材５２０との近接及び離隔回数を検知することができる運動回数検知部材５５０をさらに含む。
【００３２】
前記運動回数検知部材５５０は、前記上側マウスピース部材５１０と前記下側マウスピース部材５２０のいずれか一方に設置される磁石５５１と、前記上側マウスピース部材５１０と前記下側マウスピース部材５２０のいずれか他方に設置され、前記磁石５５１の近接及び離隔による磁力変化を検知することができるホールセンサー５５２とを含む。
【００３３】
例えば、前記上側マウスピース部材５１０に前記磁石５５１が、前記下側マウスピース部材５２０に前記ホールセンサー５５２がそれぞれ設置できる。
【００３４】
図面番号５５５は、前記ホールセンサー５５２に電力を供給することが可能なバッテリーを示す。前記バッテリー５５５の適用は選択的であり、前記バッテリー５５５の代わりに有線ケーブルで電力が供給されてもよい。
【００３５】
このように構成されると、使用者が前記咀嚼筋運動器具５００を口腔に銜えてから力を抜く動作を繰り返し行うことによる、前記上側マウスピース部材５１０と前記下側マウスピース部材５２０との近接及び離隔回数が前記ホールセンサー５５２によって検知され、別の制御部材（図示せず）または別のディスプレイ部材（図示せず）に表示できる。
【００３６】
図８は本発明の第６実施形態に係る咀嚼筋運動器具において弾性部材が後側部に連結された様子を側面から見た図、図９は本発明の第６実施形態に係る咀嚼筋運動器具において弾性部材が前側部に連結された様子を側面から見た図である。
【００３７】
図８及び図９を参照すると、本実施形態では、弾性部材６３０が板バネの形をし、前記弾性部材６３０は、上側マウスピース部材６１０に結合される上側固定部６３１と、下側マウスピース部材６２０に結合される下側固定部６３２と、前記上側固定部６３１と前記下側固定部６３２とを連結しながら弾性を印加する弾性連結部６３３とを含む。
【００３８】
また、前記上側マウスピース部材６１０には、前記上側固定部６３１が挿入できる上側固定挿入ホール６１２、６１３が形成され、前記下側マウスピース部材６２０には、前記下側固定部６３２が挿入できる下側固定挿入ホール６２２、６２３が形成される。
【００３９】
前記上側固定挿入ホール６１２、６１３のいずれか一方は、前記上側マウスピース部材６１０の前側部である中央部に形成され、いずれか他方は、前記上側マウスピース部材６１０の後側部である各末端部に形成される。
【００４０】
前記下側固定挿入ホール６２２、６２３のいずれか一方は、前記下側マウスピース部材６２０の前側部である中央部に形成され、いずれか他方は、前記下側マウスピース部材６２０の後側部である各末端部に形成される。
【００４１】
前述の如く、前記上側固定挿入ホール６１２、６１３と前記下側固定挿入ホール６２２、６２３が、前記上側マウスピース部材６１０と前記下側マウスピース部材６２０の各前側部と各後側部にそれぞれ形成されることにより、前記弾性部材６３０が前記上側マウスピース部材６１０と前記下側マウスピース部材６２０の前側部または後側部で弾性を印加しながら２つの部材６１０、６２０を連結させる。
【００４２】
前記上側固定挿入ホール６１２、６１３と前記下側固定挿入ホール６２２、６２３には、前記上側固定部６３１と前記下側固定部６３２がそれぞれ着脱可能に挿入できる。
【００４３】
図９に示すように、前記弾性部材６３０が前記上側マウスピース部材６１０の前側部と前記下側マウスピース部材６２０の前側部とを連結しなければならない場合、前記上側固定部６３１と前記下側固定部６３２がそれぞれ前記上側マウスピース部材６１０と前記下側マウスピース部材６２０の各前側部に形成された前記上側固定挿入ホール６１２と前記下側固定挿入ホール６２２にそれぞれ結合される。
【００４４】
これに対し、図８に示すように、前記弾性部材６３０が前記上側マウスピース部材６１０の後側部と前記下側マウスピース部材６２０の後側部とを連結しなければならない場合、前記上側固定部６３１と前記下側固定部６３２が、それぞれ前記上側マウスピース部材６１０と前記下側マウスピース部材６２０の各後側部に形成された前記上側固定挿入ホール６１３と前記下側固定挿入ホール６２３にそれぞれ結合される。
【００４５】
上述のように構成されることにより、前記弾性部材６３０が必要に応じて前記上側マウスピース部材６１０と前記下側マウスピース部材６２０の各前側部または各後側部を選択的に連結させることができる。
【００４６】
図１０は本発明の第７実施形態に係る咀嚼筋運動器具において弾性部材が連結された様子を側面から見た図、図１１は本発明の第７実施形態に係る咀嚼筋運動器具において弾性部材が分離された様子を側面から見た図である。
【００４７】
図１０及び図１１を一緒に参照すると、本実施形態では、弾性部材７３０が上側マウスピース部材７１０及び下側マウスピース部材７２０の少なくとも一つに着脱可能に連結される。
【００４８】
詳しくは、前記上側マウスピース部材７１０の下面と前記下側マウスピース部材７２０の上面には弾性部材連結ホール７１４、７２４がそれぞれ形成され、前記弾性部材７３０の上端と下端には弾性部材連結体７６０、７６１がそれぞれ形成され、前記各弾性部材連結体７６０、７６１が前記各弾性部材連結ホール７１４、７２４に着脱可能に結合されることにより、前記弾性部材７３０が前記上側マウスピース部材７１０と前記下側マウスピース部材７２０にそれぞれ着脱可能に連結される。
【００４９】
例示的に、前記各弾性部材連結体７６０、７６１は球状をし、前記各弾性部材連結ホール７１４、７２４は、前記各弾性部材連結体７６０、７６１が締まり嵌めされる半球形ホール状をし、前記各弾性部材連結体７６０、７６１が前記各弾性部材連結ホール７１４、７２４に着脱可能に結合できる。
【００５０】
上述のように、前記弾性部材７３０が前記上側マウスピース部材７１０と前記下側マウスピース部材７２０にそれぞれ着脱可能に連結されることにより、洗浄などが必要であって  前記弾性部材７３０、前記上側マウスピース部材７１０及び前記下側マウスピース部材７２０を分離しなければならない場合、その分離及び再結合が簡便に行われ得る。
【００５１】
図１２は本発明の第８実施形態に係る咀嚼筋運動器具において弾性部材が連結された様子を側面から見た図である。
【００５２】
図１２を参照すると、本実施形態では、弾性部材８３０の収縮及び弛緩時に上側マウスピース部材８１０と下側マウスピース部材８２０の昇降を案内する昇降案内部材８７０がさらに設置される。
【００５３】
詳しくは、前記昇降案内部材８７０は、前記上側マウスピース部材８１０の下面から下方に延長され、中空のシリンダー状に形成される上側昇降案内体８７２と、前記下側マウスピース部材８２０の上面から上方に延長され、中空のシリンダー状に形成される下側昇降案内体８７１とから構成される。
【００５４】
前記下側昇降案内体８７１が前記上側昇降案内体８７２に挿入された形で昇降する。もちろん、これは例示的なものに過ぎず、前記上側昇降案内体８７２が前記下側昇降案内体８７１に挿入された形で昇降してもよい。
【００５５】
前記下側昇降案内体８７１と前記上側昇降案内体８７２の内部には前記弾性部材８３０が配置される。
【００５６】
上述のように構成されると、外力によって前記上側マウスピース部材８１０と前記下側マウスピース部材８２０とが近接または離隔する運動を繰り返し行うとき、前記上側マウスピース部材８１０と前記下側マウスピース部材８２０との近接及び離隔が前記昇降案内部材８７０によって案内され、安定的に昇降できる。
【００５７】
もちろん、前記弾性部材８３０は、前記上側マウスピース部材８１０と前記下側マウスピース部材８２０にそれぞれ着脱可能に連結される。
【００５８】
図１３は本発明の第９実施形態に係る咀嚼筋運動器具において弾性部材が連結された様子を側面から見た図である。
【００５９】
図１３を参照すると、本実施形態では、昇降案内部材９７０が、上側マウスピース部材９１０の下面から下方に延長される上側昇降案内体９７２と、下側マウスピース部材９２０の上面から上方に延長される下側昇降案内体９７５とから構成されるが、前記上側昇降案内体９７２は中空のシリンダー状に形成され、前記下側昇降案内体９７５は中実の柱状に形成され、前記下側昇降案内体９７５が前記上側昇降案内体９７２の内部に沿って昇降できるように配置される。
【００６０】
弾性部材９３０の上側は前記上側マウスピース部材９１０の下面に着脱可能に連結され、前記弾性部材９３０の下側は前記下側昇降案内体９７５の上面に着脱可能に連結される。
【００６１】
図１４は本発明の第１０実施形態に係る咀嚼筋運動器具において弾性部材が連結された様子を側面から見た図である。
【００６２】
図１４を参照すると、本実施形態では、弾性部材１０３０がバネなどの金属材質ではなく、ゴムなどの弾性のある物質からなり、上側マウスピース部材１０１０と下側マウスピース部材１０２０との間に弾性を印加することができるように配置される。
【００６３】
前記上側マウスピース部材１０１０の下面と前記下側マウスピース部材１０２０の上面には、それぞれ上側突出体１０８０と下側突出体１０８１が一定の長さだけ突設され、前記上側突出体１０８０と前記下側突出体１０８１の各末端同士の間に前記弾性部材１０３０が設置できる。
【００６４】
以上、本発明は特定の実施形態について図示及び説明されたが、当該分野における通常の知識を有する者であれば、以下の特許請求の範囲に記載された本発明の思想及び範囲を逸脱することなく、本発明を多様に修正及び変更させることができることが分かるであろう。しかしながら、それらの修正及び変形構造はいずれも本発明の権利範囲内に含まれるものであることを明らかにしておく。
【産業上の利用可能性】
【００６５】
本発明の咀嚼筋運動器具によれば、使用者が能動的に運動をして咀嚼筋を鍛えることができるので、その産業上の利用可能性が高いといえる。
【図１】
0006352545.tif 000002
【図２】
0006352545.tif 000003
【図３】
0006352545.tif 000004
【図４】
0006352545.tif 000005
【図５】
0006352545.tif 000006
【図６】
0006352545.tif 000007
【図７】
0006352545.tif 000008
【図８】
0006352545.tif 000009
【図９】
0006352545.tif 000010
【図１０】
0006352545.tif 000011
【図１１】
0006352545.tif 000012
【図１２】
0006352545.tif 000013
【図１３】
0006352545.tif 000014
【図１４】
0006352545.tif 000015